(57)【要約】      （修正有）【課題】里山及び山間地における法面へのシカの侵入を確実に防止することができる防獣用構造物を提供する。【解決手段】防獣用構造物１０は、２枚の金網柵１１、１２と、前記２枚の金網柵の一方の金網柵を他方の金網柵に対して回動可能に連結する第１の連結金具２０と、前記第１の連結金具により連結された前記２枚の金網柵間に取り付けられ、連結された前記２枚の金網柵間の開き角度を鋭角に保持する第２の連結金具２５と、を有する。【選択図】図１
2017158439.tif 000002
【特許請求の範囲】
【請求項１】
２枚の金網柵と、
前記２枚の金網柵の一方の金網柵を他方の金網柵に対して回動可能に連結する第１の連結金具と、
前記第１の連結金具により連結された前記２枚の金網柵間に取り付けられ、連結された前記２枚の金網柵間の開き角度を鋭角に保持する第２の連結金具と、
を有することを特徴とする防獣用構造物。
【請求項２】
請求項１に記載の防獣用構造物において、
前記第１の連結金具は、中心に向けて湾曲された両端部を有し、金網柵に取り付けられたときに、前記湾曲された両端部により前記金網柵からの脱落を防止するＣ型金具であることを特徴とする防獣用構造物。
【請求項３】
請求項２に記載の防獣用構造物において、
前記第１の連結金具は、前記金網柵が前記両端部の間に設けた隙間に押し込まれたときに弾性変形して前記金網柵の挿通を可能とし、前記金網柵が挿通された後に弾性変形した前記両端部が元の状態に復帰することで、前記金網柵からの脱落を防止することを特徴とする防獣用構造物。
【請求項４】
請求項１から請求項３のいずれか１項に記載の防獣用構造物において、
前記２枚の金網柵は、所定の大きさの升目を有する金網であることを特徴とする防獣用構造物。
【請求項５】
請求項１から請求項３のいずれか１項に記載の防獣用構造物において、
前記２枚の金網柵は、所定の大きさの升目を有する金網と、前記金網の外周部が固着される柵枠とを有することを特徴とする防獣用構造物。
【請求項６】
請求項１から請求項５のいずれか１項に記載の防獣用構造物において、
前記第２の連結金具は、前記金網柵に係止する係止部を両端部に有することを特徴とする防獣用構造物。
【請求項７】
請求項６に記載の防獣用構造物において、
前記第２の連結金具は、両端部に有する係止部間の相対位置が変化可能なターンバックルであることを特徴とする防獣用構造物。
【請求項８】
請求項１から請求項７のいずれか１項に記載の防獣用構造物において、
前記第２の連結金具により前記開き角度を一定に保持させた前記２枚の金網柵を、緑化法面の外周に沿って固定するアンカーピンをさらに備えたことを特徴とする防獣用構造物。
【発明の詳細な説明】
【技術分野】
【０００１】
本発明は、里山及び山間地における法面の植物生育を促進して緑化を図る際に、シカ等の野生生物の侵入を阻止して法面の保護を行う防獣用構造物に関する。
【背景技術】
【０００２】
里山及び山間地における法面の植物生育を促進して緑化を図り、また、シカ等の野生生物の法面への侵入を阻止して法面の保護を図る緑化保護装置が提案されている（例えば特許文献１参照）。特許文献１に開示される緑化保護装置は、溶接金網を階段状に折り曲げて少なくとも二つの踏み面を形成した網ユニットを、所定の間隔を隔てて複数配置し、網ユニット間の横方向及び／又は縦方向を相互に可動自在に連結した網ユニット群を、アンカーピンにより、網ユニット群の各網ユニットが各々重心位置をずらして辺縁部を緑化法面又は緑化済み法面に揺動自在に固定する装置である。
【０００３】
特許文献１に開示される緑化保護装置は、例えば１０ｃｍ×１０ｃｍの升目の溶接金網を用い、また、溶接金網を３０〜４０ｃｍ間隔で階段状に折り曲げて少なくとも二つの踏み面を設けている。このような構成とすることで、作業者は歩行しやすい一方で、シカは溶接金網の網目の大きさから溶接金網上を歩行しにくくなる。また、シカやカモシカは、平地で例えば３ｍ程度の帯状の障害を飛び越えることができると言われていることから、緑化保護装置は、法面の周縁部から中心側に向けて３ｍ以上の幅で帯状に設置される。
【先行技術文献】
【特許文献】
【０００４】
【特許文献１】特開２０１４−１０３９３４号公報
【発明の概要】
【発明が解決しようとする課題】
【０００５】
ところで、出願人は、特許文献１に開示される緑化保護装置を里山及び山間地における法面に設置し、シカの侵入を防止できるか否かの実証実験を行った。概ね４０度以上の勾配を有する法面に緑化保護装置を設置した実証実験では、シカの侵入を防止できるという結果が得られた。一方、４０度未満の勾配となる法面に緑化保護装置を設置したときには、例えば落葉などが溶接金網に積層されると、シカの視界に溶接金網が入らず、また、積層された落葉によりシカは溶接金属上を容易に歩行できるという結果が得られた。つまり、４０度未満の勾配となる法面の場合には、シカが法面に侵入でき、緑化保護装置を設置した効果を得ることができないことがわかった。
【０００６】
本発明は、里山及び山間地における法面へのシカの侵入を確実に防止することができる防獣用構造物を提供することにある。
【課題を解決するための手段】
【０００７】
一つの観点によれば、本発明の防獣用構造物は、２枚の金網柵と、前記２枚の金網柵の一方の金網柵を他方の金網柵に対して回動可能に連結する第１の連結金具と、前記第１の連結金具により連結された前記２枚の金網柵間に取り付けられ、連結された前記２枚の金網柵間の開き角度を鋭角に保持する第２の連結金具と、を有することを特徴とする。
【０００８】
また、前記第１の連結金具は、中心に向けて湾曲された両端部を有し、金網柵に取り付けられたときに、前記湾曲された両端部により前記金網柵からの脱落を防止するＣ型金具であることを特徴とする。
【０００９】
また、前記第１の連結金具は、前記金網柵が前記両端部の間に設けた隙間に押し込まれたときに弾性変形して前記金網柵の挿通を可能とし、前記金網柵が挿通された後に弾性変形した前記両端部が元の状態に復帰することで、前記金網柵からの脱落を防止することを特徴とする。
【００１０】
また、前記２枚の金網柵は、所定の大きさの升目を有する金網であることが好ましい。また、前記２枚の金網柵は、所定の大きさの升目を有する金網と、前記金網の外周部が固着される柵枠とを有することが好ましい。
【００１１】
また、前記第２の連結金具は、前記金網柵に係止する係止部を両端部に有することを特徴とする。
【００１２】
また、前記第２の連結金具は、両端部に有する係止部間の相対位置が変化可能なターンバックルであることが好ましい。
【００１３】
また、前記第２の連結金具により前記開き角度を一定に保持させた前記２枚の金網柵を、緑化法面の外周に沿って固定するアンカーピンをさらに備えたことを特徴とする。
【発明の効果】
【００１４】
本件開示の防獣柵によれば、里山及び山間地における法面へのシカの侵入を確実に防止することができる。
【図面の簡単な説明】
【００１５】
【図１】（ａ）は第１実施形態の防獣用構造物の斜視図、（ｂ）は並置した金網柵を連結した状態を示す斜視図、である。
【図２】Ｃ型リングを金網柵の柵枠に取り付ける流れを示す図である。
【図３】（ａ）は連結金具の一例を示す斜視図、（ｂ）はターンバックルを連結金具とした場合を示す斜視図である。
【図４】第１実施形態に示す防獣用構造物を法面に設置した状態を示す斜視図である。
【図５】（ａ）は第２実施形態の防獣用構造物の斜視図、（ｂ）は並置した金網柵を連結した状態を示す斜視図である。
【図６】第２実施形態に示す防獣用構造物を法面に設置する一例を示す斜視図である。
【図７】第２実施形態に示す防獣用構造物を法面に設置する他の例を示す斜視図である。
【図８】第２実施形態の変形例を示す防獣用構造物の斜視図である。
【発明を実施するための形態】
【００１６】
＜第１実施形態＞
以下、第１実施形態における防獣用構造物について説明する。防獣用構造物１０は、植物生育を促進して緑化を図る里山及び山間地等の法面の外周部分に設置され、シカなどの野生生物の侵入を防止する。防獣用構造物１０は、法面を包囲するように法面の外周に沿って複数設置される。
【００１７】
図１（ａ）及び図１（ｂ）に示すように、防獣用構造物１０は、並置される金網柵１１，１２を、一方の金網柵が他方の金網柵に対して回動できるように、後述するＣ型リング２０により連結した構造を有する構造物である。さらに、防獣用構造物１０は、後述する連結金具２５により、連結された金網柵１１，１２の開き角度が鋭角の状態（詳細には、図１（ａ）中ｙ方向に直交する断面が山型形状となるように保持された状態）で保持される。ここで、法面の外周に沿って設置される防獣用構造物１０は、アンカーピン３５（図４参照）により固定される。なお、連結された金網柵１１，１２の開き角度とは、連結された金網柵１１及び金網柵１２がなす角度である。
【００１８】
次に、金網柵１１，１２について説明する。図１（ｂ）に示すように、金網柵１１は、柵枠１３と柵枠１３に固着される金網１４とを有する。柵枠１３は、例えば円柱又は円筒を曲げ加工した矩形状の部材や、円柱又は円筒を溶接などにより複数接合した矩形状の部材である。柵枠１３の一辺の長さは、例えば１〜２ｍである。
【００１９】
金網１４は、直径φ＝２〜６ｍｍからなる金属線材で、例えば１０〜１５ｃｍの升目のものが用いられる。金網１４としては、例えば一方向に延在する金属線材と、一方向に対して所定の角度傾斜した他方向に延在する金属線材とを上述した大きさの升目が得られるように交差させた状態で溶接等により接合したものや、複数の金属線材を上述した大きさの升目となるように紡いだものが用いられる。なお、図１において、金網１４は柵枠１３の四隅のみ記載しているが、実際には柵枠１３の全体に金網１４が設けられる。
【００２０】
金網柵１２は、金網柵１１と同様に、柵枠１５と柵枠１５に固着される金網１６とを有する。なお、柵枠１５及び金網１６は、金網柵１１が有する柵枠１３及び金網１４と同一の構成であるので、これら部材についての説明は省略する。以下では、金網柵１１の柵枠１３の幅Ｗ１と、金網柵１２の柵枠１５の幅Ｗ２とが同一幅（Ｗ１＝Ｗ２）である場合について説明する。
【００２１】
上述した金網柵１１，１２を一方の金網柵が他方の金網柵に対して回動できるように連結する手段として、例えばＣ型金具（以下、Ｃ型リング）２０が用いられる。図２（ａ）に示すように、Ｃ型リング２０は、中心側に各々湾曲させた両端部２０ａ，２０ｂを有する。Ｃ型リング２０の両端部２０ａ，２０ｂが中心側に湾曲されることにより、Ｃ型リング２０の両端部２０ａ，２０ｂの間に、所定の間隔の隙間２０ｃを形成する。Ｃ型リング２０に設けた隙間２０ｃは、２枚の金網柵１１，１２を連結させるときに柵枠１３又は柵枠１５が押し込まれる空間となる。Ｃ型リング２０に設けた隙間２０ｃの間隔Ｄ１は、柵枠１３又は柵枠１５に取り付けられたＣ型リング２０が柵枠１３又は柵枠１５から容易に脱落しない（取り外せない）ように、柵枠１３又は柵枠１５の直径Ｄ２よりも短い間隔に設定される。
【００２２】
２枚の金網柵１１，１２を連結するときに、Ｃ型リング２０を取り付ける位置は、以下の通りである。例えば同一幅となる２枚の金網柵１１，１２を用いた防獣用構造物１０の場合、Ｃ型リング２０は、並置した２枚の金網柵１１，１２の幅方向（図１中ｙ方向）における両端部の２カ所に取り付けられ、２枚の金網柵１１，１２を連結する。なお、Ｃ型リング２０を並置した２枚の金網柵１１，１２の幅方向（図１中ｙ方向）における両端部の２カ所に取り付ける場合を説明するが、Ｃ型リングを取り付ける位置は、上記に限定されるものではなく、例えば、並置した２枚の金網柵１１，１２の幅方向（図１中ｙ方向）における両端部の２カ所と、中央部分の１カ所の計３カ所としてもよい。
【００２３】
Ｃ型リング２０を柵枠１３に取り付ける手順を説明する。なお、Ｃ型リング２０を柵枠１５に取り付ける場合も同様である。図２（ｂ）に示すように、柵枠１３にＣ型リング２０の両端部２０ａ，２０ｂを当接させる。上述したように、Ｃ型リング２０に設けた隙間２０ｃの間隔Ｄ１は、柵枠１３の直径Ｄ２よりも狭く設定されている。したがって、柵枠１３にＣ型リング２０の両端部２０ａ，２０ｂを当接させた後、Ｃ型リング２０は柵枠１３に向けて（図２（ｂ）Ｂ方向に）押圧される。Ｃ型リング２０が柵枠１３に向けて押圧されると、Ｃ型リングの両端部２０ａ、２０ｂは、柵枠１３の外周面に沿って摺接される。そして、図２（ｂ）に示す二点鎖線の位置まで弾性変形する。その後、柵枠１３がＣ型リング２０に設けた隙間２０ｃを通り抜ける過程で、Ｃ型リング２０は、リング自体の復帰力により元の状態に戻る（図２（ｃ）参照）。その結果、Ｃ型リング２０が柵枠１３に取り付けられる。上述したように、Ｃ型リング２０に設けた隙間２０ｃの間隔Ｄ１は、柵枠１３の直径Ｄ２よりも狭い。したがって、工具などを用いてＣ型リング２０を切断しない限りは、Ｃ型リング２０は柵枠１３から容易に取り外すことはできない。
【００２４】
上述したように、防獣用構造物１０は、連結された２枚の金網柵１１，１２を山型形状の状態で法面の外周に沿って設置される。ここで、２枚の金網柵１１，１２が山型形状の状態に保持する部材として連結金具２５が用いられる。図３（ａ）に示すように、連結金具２５は、円弧状に屈曲させた係止部（フック）２５ａ，２５ｂを両端部に有する金属線材である。係止部２５ａ，２５ｂは、網枠１１の金網１４や網枠１２の金網１６に係止される。連結金具２５を取り付ける位置は、金網柵１１，１２が連結される一端部とは反対側の端部で、且つ防獣用構造物１０を法面に設置したときに地面から例えば５０ｃｍ以内の高さとなる位置である。なお、連結金具を取り付ける位置として地面から例えば５０ｃｍ以内の高さとなる位置としているが、金網柵１１及び金網柵１２の開き角度が鋭角となるような位置であればよい。また、連結金具２５は、金網柵１１，１２の幅方向（図１（ｂ）ｙ方向）における両端部の２カ所に取り付けられる。
【００２５】
ここで、連結金具２５は、係止部２５ａ，２５ｂを両端部に有する金属線材としているが、図３（ｂ）に示すように、ターンバックル３０を連結金具として用いることも可能である。周知のように、ターンバックル３０は、バックル本体３１と、バックル本体３１の長手方向の一端部に螺合される係止部３２と、バックル本体３１の長手方向の他端部に軸支される係止部３３と、を有し、係止部３２に設けたねじ部３２ａをバックル本体３１に螺合させる長さを調整することで、係止部３２，３３間の距離を調整するものである。なお、図３（ｂ）では、係止部３２をバックル本体３１に螺合させるターンバックル３０について説明しているが、これに限定される必要はなく、両端部に設けた係止部をバックル本体に各々螺合させるターンバックルを用いることも可能である。例えば図３（ａ）に示した連結金具では、法面を有する里山、山間地などの地形に合わせて、全長が異なる連結金具を予め作成しておく必要があるが、ターンバックル３０を用いた場合には、両端部に設けた係止部の相対位置を調整するだけで済むことから、２枚の金網柵の開き角度に応じた連結金具を複数予め設ける必要がなくなる。
【００２６】
次に、防獣用構造物１０を法面に設置する流れを説明する。まず、金網柵１１，１２は各金網柵の幅方向の中点が一致するように並置された後、金網柵１１，１２は、Ｃ型リング２０を用いて連結される（図１（ｂ）参照）。この状態では、金網柵１１及び金網柵１２は、一方の金網柵が他方の金網柵に対して回動自在である。したがって、例えば金網柵１１と金網柵１２とを重畳されるように、例えば金網柵１１を金網柵１２に対して回動させる。その結果、防獣用構造物１０は、金網柵１１と金網柵１２とが重畳された状態となる。金網柵１１と金網柵１２とが重畳された防獣用構造物１０は、運搬車の荷台に複数積載されて、里山及び山間地等の法面まで搬送される。なお、図１（ｂ）中符号Ｆは、金網柵１１，１２の幅方向における中点を示す線である。
【００２７】
搬送された防獣用構造物１０は、連結された金網柵１１の金網１４に連結金具２５の係止部２５ａを、金網柵１２の金網１６に連結金具２５の係止部２５ｂを取り付ける。これにより、防獣用構造物１０は、金網柵１１，１２がＣ型リング２０により連結された箇所を頂点とした山型形状の状態で保持される。つまり、作業者が手を離しても、金網柵１１，１２の開き角度が一定に保持される。図４に示すように、金網柵１１，１２の開き角度が一定に保持された防獣用構造物１０は、法面の外周に沿って設置される。防獣用構造物１０を法面の外周に沿って設置する際には、アンカーピン３５を打設して、防獣用構造物１０を地面に固定する。なお、アンカーピン３５が打設される箇所は、地面に接地される防獣用構造物１０の四隅近傍である。ここで、アンカーピン３５としては、例えば直径φ＝１３〜１９ｍｍ、長さＬ＝２００〜１０００ｍｍのものが使用される。
【００２８】
上述したように、防獣用構造物１０は、法面を包囲するように、法面の外周に沿って複数設置される。このとき、複数の防獣用構造物１０は、隣り合う防獣用構造物１０に対して隙間が生じないように設置してもよいし、隣り合う防獣用構造物１０に対して所定の間隔の隙間を空けて設置してもよい。なお、所定の間隔の隙間を空ける場合には、シカなどが通り抜けることができない間隔を空けて防獣用構造物１０を設置すればよい。
【００２９】
なお、アンカーピン３５により地面に固定される防獣用構造物１０のうち、隣り合う防獣用構造物１０の金網柵１１の柵枠１３や金網柵１２の柵枠１５を、Ｃ型リング２０でさらに連結することも可能である。
【００３０】
このように、１：１．２以下の勾配となる法面に接地した場合、本実施形態の防獣用構造物１０では、金網柵１１，１２の開き角度が鋭角であり、また、金網柵の一辺が１〜２ｍの矩形であることから、法面の外周に沿って設置された防獣用構造物１０は、ある程度の高さが確保される。また、金網柵１１，１２の開き角度が鋭角であることで、落葉が防獣用構造物１０を被覆することはない。したがって、シカなどに防獣用構造物１０を視認させることができ、その結果、シカが法面に侵入することを防止できる。
【００３１】
なお、特開２０１４−１０３９３４号に開示された、溶接金網を階段状に折り曲げて少なくとも二つの踏み面を形成した第一網ユニットを有する網ユニット群を備えた緑化保護装置を用いて法面を被覆した後、防獣用構造物１０を法面の外周部に沿って配置してもよいし、上述した緑化保護装置を用いずに防獣用構造物１０を法面の外周部に沿って配置してもよい。
【００３２】
第１実施形態では、金網柵１１の幅方向における中点と、金網柵１２の幅方向における中点とを一致させた状態で、金網柵１１，１２をＣ型リング２０で連結した場合を説明しているが、金網柵１１，１２を連結する際に、金網柵１１の幅方向における中点と、金網柵１２の幅方向における中点とを必ずしも一致させる必要はない。図示は省略するが、例えば金網柵１１の幅方向における中点と金網柵１２の幅方向における中点とをずらした状態で金網柵１１，１２を連結した防獣用構造物の場合には、隣り合う防獣用構造物において、法面の外方に位置する金網柵と、法面の内側に位置する金網柵とが重なるように、隣り合う防獣用構造物を法面の外周に沿って配置すればよい。
【００３３】
第１実施形態では、同一の大きさの金網柵１１，１２を用いた防獣用構造物１０を取り上げているが、異なる幅の金網柵を二枚組み合わせた防獣用構造物であってもよい。
【００３４】
＜第２実施形態＞
図５（ａ）及び図５（ｂ）に示すように、第２実施形態の防獣用構造物４０は、異なる幅の金網柵４１，４２を用いている。防獣用構造物４０に用いられる金網柵４１，４２のうち、金網柵４１の幅Ｗ３は、実施形態の金網柵１１の幅Ｗ１や金網柵１２の幅Ｗ２と同一幅である。一方、金網柵４２の幅Ｗ４は、金網柵４１の幅Ｗ３よりも短い。なお、金網柵４２の幅Ｗ４は、金網柵４１の幅Ｗ３の２／３〜１／２の長さに設定される。具体的には、金網柵４２の幅Ｗ４は、０．５ｍ〜１．２ｍである。
【００３５】
ここで、金網柵４１は、第１実施形態の金網柵１１，１２と同様に、柵枠４３及び金網４４から構成される。同様に、金網柵４２は、柵枠４５及び金網４６から構成される。
【００３６】
この場合、金網柵４１及び金網柵４２は、幅方向（図５中ｙ方向）の中点の位置が同一位置となるように並置された状態で、本実施形態で説明したＣ型リング２０を用いて連結される。なお、図５（ｂ）中Ｇは、金網柵４１，４２の中点を示す線である。なお、Ｃ型リング２０を取り付ける位置は、例えば、金網柵４２の幅方向（図５中ｙ方向）における両端部である。また、連結金具２５を取り付ける位置は、Ｃ型リング２０と同様に、金網柵４２の幅方向における両端部で、防獣用構造物４０を設置したときに、地面から例えば５０ｃｍ以内の高さとなる位置である。したがって、金網柵４１、４２がなす角度（金網柵４１、４２の開き角度）は鋭角の状態で保持される。
【００３７】
防獣用構造物４０は、本実施形態の防獣用構造物１０と同様に、法面の外周に沿って複数配置される。防獣用構造物４０を法面の外周に沿って複数設置する場合、図６に示すように、隣り合う防獣用構造物１０をシカが通り抜けできない隙間を空けた状態で設置してもよいし、図７に示すように、防獣用構造物４０が有する金網柵４１の端部が、隣り合う防獣用構造物４０の金網柵４１の端部と重畳し、且つ隣り合う防獣用構造物４０のうち、一方の防獣用構造物４０の金網柵４１を法面の外周よりも外方に、他方の防獣用構造物４０の金網柵４１を法面の外周よりも内側に、各々設置してもよい。なお、上述した防獣用構造物４０は、第１実施形態と同様に、アンカーピン３５を用いて法面に固定される。したがって、第２実施形態に示した防獣用構造物４０は、第１実施形態に示した防獣用構造物１０と同一の効果を有する。
【００３８】
なお、第２実施形態を示す図５（ａ）及び図５（ｂ）において、金網柵４１，４２は、金網柵４１の幅方向における中点と金網柵４２の幅方向における中点とを一致させた状態で、Ｃ型リング２０により連結されている。しかしながら、金網柵４１，４２は、金網柵４２の幅方向における中点を金網柵４１の幅方向における中点に対して図５（ｂ）中ｙ方向又は−ｙ方向にずらした状態で、Ｃ型リング２０により連結されていてもよい。
【００３９】
第２実施形態では、異なる幅の金網柵を二枚組み合わせた防獣用構造物を例示しているが、異なる高さの金網柵を２枚組み合わせた防獣用構造物であってもよい。以下、異なる高さの金網柵を２枚組み合わせた防獣用構造物の例を第２実施形態の変形例として説明する。
【００４０】
＜第２実施形態の変形例＞
図８に示すように、防獣用構造物６０は、幅及び高さが異なる金網柵６１，６２を２枚組み合わせた構造である。ここで、金網柵６１は、幅方向に沿って延在する支柱６３ａを有する柵枠６３と、金網６４，６５とから構成される。一方、金網柵６２は、柵枠６６と金網６７とから構成される。この場合、金網柵６１の柵枠６３に設けた支柱６３ａと、金網柵６２の柵枠６７とを、第１実施形態に示すＣ型リング２０を用いて連結する。また、金網柵６１の金網６５と、金網柵６２の金網６７とは、連結金具６８により連結され、金網柵６１と金網柵６２とのなす角度（金網柵６１と金網柵６２との開き角度）が鋭角である状態で保持される。
【００４１】
防獣用構造物６０を法面の外周に沿って設置する場合、第１実施形態、第２実施形態と同一のアンカーピン３５を用いて、防獣用構造物６０が法面の外周に沿って固定される。なお、防獣用構造物６０を法面の外周に沿って設置する場合、第２実施形態と同様に、隣り合う防獣用構造物１０をシカが通り抜けできない隙間を空けた状態設置してもよいし、防獣用構造物６０が有する金網柵６１の端部が、隣り合う防獣用構造物６０の金網柵６１の端部と重畳し、且つ隣り合う防獣用構造物６０のうち、一方の防獣用構造物６０の金網柵６１を法面の外周よりも外方に、他方の防獣用構造物６０の金網柵６１を法面の外周よりも内側に、各々設置してもよい。この第２実施形態の変形例で示した防獣用構造物６０を法面の外周に沿って配置した場合であっても、第１実施形態に示した防獣用構造物１０や、第２実施形態に示した防獣用構造物４０と同一の効果を得ることができる。
【００４２】
なお、金網柵６１の柵枠６３に設けられる支柱６３ａとして、金網柵６１の幅方向に延在する支柱を例に挙げているが、支柱の向きや位置は、金網柵６１の幅方向に延在する支柱に限定されるものではない。
【００４３】
第１実施形態、第２実施形態及び第２実施形態の変形例においては、金網及び柵枠を有する金網柵を取り上げて説明しているが、柵枠の構成を省略した、つまり金網のみの金網柵であってもよい。この場合、Ｃ型金具の両端部に設けた隙間の間隔は、金網を構成する金属線材の直径以下に設定されていることが好ましい。
【符号の説明】
【００４４】
１０，４０，６０…防獣用構造物
１１，１２，４１，４２，６１，６２…金網柵
１３，１５，４３，４５，６３，６６…柵枠
１４，１６，４４，４６，６４，６５，６７…金網
２０…Ｃ型金具
２５、６８…連結金具
【図１】
2017158439.tif 000003
【図２】
2017158439.tif 000004
【図３】
2017158439.tif 000005
【図４】
2017158439.tif 000006
【図５】
2017158439.tif 000007
【図６】
2017158439.tif 000008
【図７】
2017158439.tif 000009
【図８】
2017158439.tif 000010